(57)【要約】【課題】相手が希望する能力をもつ端末を選択して呼び出す通信装置を提供する。【解決手段】端末呼び出し部１３は、その呼び出し信号内の情報を元に、呼び出される端末がもつべき能力を判別し、読み出したユーザＩＤに関連づけられ且つその能力を示す端末能力情報を含む端末情報を呼び出し先情報記憶部１１から検索する（ステップＳ１３）。端末呼び出し部１３は、その端末情報内のアドレスを読み出し、その読み出したアドレスの端末２を呼び出す（ステップＳ１５）。【選択図】図１
2008271380.tif 000002
【特許請求の範囲】
【請求項１】
通信システムにおいて呼び出される端末の能力を示す端末能力情報と前記端末のアドレスとを含む端末情報が前記端末のユーザを示すユーザＩＤに関連づけられて記憶される呼び出し先情報記憶部と、
端末のアドレスを登録するための登録信号を受信し、受信した登録信号内のアドレスおよびユーザＩＤを読み出すとともに、登録信号内の情報を元に端末の能力を判別し、前記能力を示す端末能力情報と前記読み出したアドレスとを含む端末情報を前記読み出したユーザＩＤに関連づけて前記呼び出し先情報記憶部に記憶させるアドレス登録部と、
端末を呼び出すための呼び出し信号を受信し、受信した呼び出し信号内のユーザＩＤを読み出し、呼び出し信号内の情報を元に、呼び出される端末がもつべき能力を判別し、前記読み出したユーザＩＤに関連づけられ且つ前記能力を示す端末能力情報を含む端末情報を前記呼び出し先情報記憶部から検索し、検索した端末情報内のアドレスを読み出し、読み出したアドレスの端末を呼び出す端末呼び出し部と
を備えることを特徴とする通信装置。
【請求項２】
前記アドレス登録部は、記憶させた端末情報内のアドレスおよび端末能力情報を含み且つ端末情報に関連づけられたユーザＩＤに関連づけられた他の端末情報が呼び出し先情報記憶部になかったなら、記憶させた端末情報に対し、予め定められた優先度を設定し、他の端末情報があったなら、他の端末情報と記憶させた端末情報とを含む複数の端末情報に対し、新しい端末情報ほど高く優先度を設定し、
前記端末呼び出し部は、呼び出し先情報記憶部から複数の端末情報を検索したなら、検索した端末情報に設定された優先度の中で最も高い優先度が設定された端末情報内のアドレスを読み出し、読み出したアドレスの端末を呼び出す
ことを特徴とする請求項１記載の通信装置。
【請求項３】
前記呼び出し信号から読み出されたユーザＩＤに関連づけられ且つ呼び出し信号により得られた端末能力情報を含む端末情報が呼び出し先情報記憶部になかったときに呼び出すべき端末の能力を示す端末能力情報と端末のアドレスとを含む端末情報が前記呼び出し信号から読み出されるユーザＩＤに関連づけられて記憶される転送先情報記憶部を備え、
前記端末呼び出し部は、前記呼び出し信号から読み出したユーザＩＤに関連づけられ且つ呼び出し信号により得た端末能力情報を含む端末情報が呼び出し先情報記憶部になかったなら、読み出したユーザＩＤに関連づけられ且つ得た端末能力情報を含む端末情報を前記転送先情報記憶部から検索し、検索した端末情報内のアドレスを読み出し、読み出したアドレスの端末を呼び出す
ことを特徴とする請求項１または２記載の通信装置。
【請求項４】
複数のユーザＩＤを含むユーザグループ情報が記憶されるユーザグループ情報記憶部を備え、
前記端末呼び出し部は、前記呼び出し信号から読み出したユーザＩＤに関連づけられ且つ呼び出し信号により得た端末能力情報を含む端末情報が呼び出し先情報記憶部になかったなら、読み出したユーザＩＤを含むユーザグループ情報を前記ユーザグループ情報記憶部から検索し、検索したユーザグループ情報から他のユーザＩＤを読み出し、読み出したユーザＩＤに関連づけられ且つ得た端末能力情報を含む端末情報を呼び出し先情報記憶部から検索し、検索した端末情報内のアドレスを読み出し、読み出したアドレスの端末を呼び出す
ことを特徴とする請求項１または２記載の通信装置。
【請求項５】
前記ユーザグループ情報記憶部に記憶されたユーザグループ情報に対し、前記呼び出し先情報記憶部に該当の端末情報がなかったときに行うべきことを示す指示情報が関連づけられ、
前記端末呼び出し部は、前記呼び出し先情報記憶部に該当の端末情報がなかったなら、呼び出し信号から読み出したユーザＩＤを含むユーザグループ情報に関連づけられた指示情報に応じて呼び出しを中止するまたは予め定められたサービスを実行させる
ことを特徴とする請求項４記載の通信装置。
【請求項６】
前記登録信号および呼び出し信号の送受信および前記端末の呼び出しがSIP(Session Initiation Protocol)によりなされ、
前記登録信号により端末能力情報を得る元の情報は予め定められた文字列であり、
前記呼び出し信号により端末能力情報を得る元の情報は前記SIPのセッション記述プロトコル情報である
ことを特徴とする請求項１ないし５のいずれかに記載の通信装置。
【請求項７】
請求項１ないし６のいずれかに記載の通信装置と、
前記登録信号に含まれるアドレスが記憶されたアドレス記憶部、記憶されたアドレスを含んだ信号に対して登録信号に含まれるユーザＩＤ並びに端末能力情報を得るための情報に含ませて登録信号を生成する登録信号生成部並びに生成された登録信号を前記通信装置に送信する登録信号送信部を有する端末と、
端末能力情報を得るための情報並びに相手の端末のユーザを示すユーザＩＤを含んだ呼び出し信号を生成する呼び出し信号生成部並びに生成された呼び出し信号を前記通信装置に送信する呼び出し信号送信部を有する端末と
を備えることを特徴とする通信システム。
【請求項８】
通信システムにおいて呼び出される端末の能力を示す端末能力情報と前記端末のアドレスとを含む端末情報が前記端末のユーザを示すユーザＩＤに関連づけられて記憶される呼び出し先情報記憶部を備える通信装置に設けられたアドレス登録部が、
端末のアドレスを登録するための登録信号を受信し、受信した登録信号内のアドレスおよびユーザＩＤを読み出すとともに、登録信号内の情報を元に端末の能力を判別し、前記能力を示す端末能力情報と前記読み出したアドレスとを含む端末情報を前記読み出したユーザＩＤに関連づけて前記呼び出し先情報記憶部に記憶させる
ことを特徴とするアドレス登録方法。
【請求項９】
通信システムにおいて呼び出される端末の能力を示す端末能力情報と前記端末のアドレスとを含む端末情報が前記端末のユーザを示すユーザＩＤに関連づけられて記憶される呼び出し先情報記憶部を備える通信装置に設けられた端末呼び出し部が、
端末を呼び出すための呼び出し信号を受信し、受信した呼び出し信号内のユーザＩＤを読み出し、呼び出し信号内の情報を元に、呼び出される端末がもつべき能力を判別し、前記読み出したユーザＩＤに関連づけられ且つ前記能力を示す端末能力情報を含む端末情報を前記呼び出し先情報記憶部から検索し、検索した端末情報内のアドレスを読み出し、読み出したアドレスの端末を呼び出す
ことを特徴とする端末呼び出し方法。
【発明の詳細な説明】
【技術分野】
【０００１】
本発明は、相手が希望する能力をもつ端末を選択して呼び出す通信装置、その通信装置を含む通信システム、その通信装置が行うアドレス登録方法および端末呼び出し方法に関するものである。
【背景技術】
【０００２】
従来の通信システムにおいては、通信しようとする端末は、まず通信装置に呼び出し信号を送信する。通信装置は呼び出し信号から相手のユーザを判別し、そのユーザに使用される端末を呼び出す。その端末は、相手が希望する能力が自身に備わっているかを判別し、その能力（例えば、テレビ電話の端末に必要な能力）があるときはそれを用いて相手と通信し、ないときは通信を切断する。
【非特許文献１】J. Rosenberg, H. Schulzrinne, G. Camarillo, A. Johnston, J. Peterson, R. Sparks, M. Handley, E. Schooler, "IETF Request for Comments: 3261", June 2002
【発明の開示】
【発明が解決しようとする課題】
【０００３】
近年では、端末のもつ能力が多様化しており、呼び出された端末のユーザが、それらの端末をもっていれば、その中には相手の希望する能力をもつ端末があるかもしれない。しかし、通信装置は、そのような能力をもつ端末を選択して呼び出すことができないので、実際には、その能力を生かせず、ユーザはその利便性を享受することができない。
【０００４】
また、上記のように、呼び出された端末は能力がなければ通信を切断するのだが、その場合であっても、端末は一旦は呼び出されるので、それによりトラヒックが増加する。
【０００５】
本発明は、上記の課題に鑑みてなされたものであり、その目的とするところは、相手が希望する能力をもつ端末を選択して呼び出す通信装置を提供することにある。
【課題を解決するための手段】
【０００６】
上記の課題を解決するために、本発明に係る通信装置は、通信システムにおいて呼び出される端末の能力を示す端末能力情報と前記端末のアドレスとを含む端末情報が前記端末のユーザを示すユーザＩＤに関連づけられて記憶される呼び出し先情報記憶部と、端末のアドレスを登録するための登録信号を受信し、受信した登録信号内のアドレスおよびユーザＩＤを読み出すとともに、登録信号内の情報を元に端末の能力を判別し、前記能力を示す端末能力情報と前記読み出したアドレスとを含む端末情報を前記読み出したユーザＩＤに関連づけて前記呼び出し先情報記憶部に記憶させるアドレス登録部と、端末を呼び出すための呼び出し信号を受信し、受信した呼び出し信号内のユーザＩＤを読み出し、呼び出し信号内の情報を元に、呼び出される端末がもつべき能力を判別し、前記読み出したユーザＩＤに関連づけられ且つ前記能力を示す端末能力情報を含む端末情報を前記呼び出し先情報記憶部から検索し、検索した端末情報内のアドレスを読み出し、読み出したアドレスの端末を呼び出す端末呼び出し部とを備えることを特徴とする。
【０００７】
本発明にあっては、通信装置は、呼び出し信号を送信した端末が希望する能力をもつ端末を選択して呼び出すことができる。よって、前者の端末と後者の端末との間でその能力を用いた通信を行うことができ、ユーザはその能力による利便性を享受することができる。また、その能力をもたない端末を呼び出すことがないので、不要なトラヒックが発生せず、よって、トラヒックの増加を防止することができる。
【発明の効果】
【０００８】
本発明によれば、通信装置は、呼び出し信号を送信した端末が希望する能力をもつ端末を選択して呼び出すことができる。よって、前者の端末と後者の端末との間でその能力を用いた通信を行うことができ、ユーザはその能力による利便性を享受することができる。また、その能力をもたない端末を呼び出すことがないので、不要なトラヒックが発生せず、よって、トラヒックの増加を防止することができる。
【発明を実施するための最良の形態】
【０００９】
以下、本発明の実施の形態を図面を参照して説明する。
【００１０】
［第１の実施の形態］
図１は、第１の実施の形態に係る通信システムと通信装置の構成を示す図である。
【００１１】
通信装置１Ａは、複数の端末２とともに用いられ、例えば、ある端末２から呼び出し信号が送信されたなら、その呼び出し信号に応じた端末２を呼び出し、これにより、その２つの端末２間での通信を可能にする装置である。
【００１２】
通信装置１Ａは、その呼び出される端末２の能力を示す端末能力情報とその端末２のアドレスとを含む端末情報が、その端末２のユーザを示すユーザ識別情報（以下、「ユーザＩＤ」という）に関連づけられて記憶される呼び出し先情報記憶部１１と、その呼び出される端末２のアドレスを登録するための登録信号を受信し、その登録信号内のアドレスおよびユーザＩＤを読み出すとともに、その登録信号内の情報を元にその端末２の能力を判別し、その能力を示す端末能力情報と読み出したアドレスとを含む端末情報を、読み出したユーザＩＤに関連づけて呼び出し先情報記憶部１１に記憶させるアドレス登録部１２と、端末２を呼び出すための呼び出し信号を受信し、その呼び出し信号内のユーザＩＤを読み出し、その呼び出し信号内の情報を元に、呼び出される端末２がもつべき能力を判別し、読み出したユーザＩＤに関連づけられ且つその能力を示す端末能力情報を含む端末情報を呼び出し先情報記憶部１１から検索し、その検索された端末情報内のアドレスを読み出し、その読み出したアドレスの端末２を呼び出す端末呼び出し部１３とを備える。
【００１３】
登録信号および呼び出し信号の送受信および端末２の呼び出しは、例えば、SIP(Session Initiation Protocol)によりなされる。呼び出し信号は、SIPでは、呼接続要求信号である。
【００１４】
また、登録信号により端末能力情報を得る元の情報は、例えば、能力に応じて予め定められた文字列である。
【００１５】
また、呼び出し信号により端末能力情報を得る元の情報は、例えば、SIPのセッション記述プロトコル情報であり、その内容により能力が判別される。
【００１６】
図２は、呼び出し先情報記憶部１１の記憶内容を例示した図である。
【００１７】
図２に示すように、呼び出し先情報記憶部１１では、呼び出される端末２の能力を示す端末能力情報とその端末２のアドレスとを含む端末情報に対し優先度が設定され、その優先度を含んだ端末情報が、その端末２のユーザを示すユーザＩＤに関連づけられて記憶される。ユーザＩＤ、アドレス、端末能力情報はそれぞれ「田中一郎」、「アドレスＡ」、「音声」のように、区別、理解容易な表記に変えて示されている。また、同じユーザＩＤに関連づけられる端末情報が１枚に集約されるように図示されている。複数枚が図示されていることから明らかなように、呼び出し先情報記憶部１１は、複数のユーザＩＤについての端末情報を記憶することが可能である。
【００１８】
図３は、端末２の概略構成を示すブロック図である。
【００１９】
図３に示すように、端末２は、その端末２のアドレスが記憶されたアドレス記憶部２１と、記憶されたアドレスを含んだ信号に対し、その端末２のユーザを示すユーザＩＤ並びに端末能力情報を得るための文字列などを含ませて登録信号を生成する登録信号生成部２２と、その登録信号を通信装置１Ａに送信する登録信号送信部２３と、呼び出す相手の端末２がもつべき能力を示す内容をもつセッション記述プロトコル情報などの情報並びに相手の端末２のユーザを示すユーザＩＤを含んだ呼び出し信号を生成する呼び出し信号生成部２４と、その呼び出し信号を通信装置１Ａに送信する呼び出し信号送信部２５と、アドレス記憶部２１に記憶されたアドレスと同じアドレスの端末２に対する通信装置１Ａからの呼び出しを受け付ける呼び出し受け付け部２６とを有する。
【００２０】
なお、登録信号生成部２２と登録信号送信部２３と呼び出し信号受け付け部２６を除くことで端末２を呼び出す側の端末２に特化してもよい。また、呼び出し信号生成部２４と呼び出し信号送信部２５を除くことで端末２を呼び出される側の端末２に特化してもよい。
【００２１】
次に、第１の実施の形態におけるアドレス登録方法を説明する。
【００２２】
図３において、例えば端末２のユーザよる端末２への操作により、その端末２のユーザを示すユーザＩＤ並びにその端末２がもつ能力に応じた文字列が生成され、アドレス記憶部２１に記憶されたアドレスを含む信号が生成される。登録信号信号生成部２２は、その信号に対し、生成されたユーザＩＤと文字列を含ませて登録信号を生成する。登録信号送信部２３は、生成された登録信号を通信装置１Ａに送信する。
【００２３】
図１において、通信装置１Ａのアドレス登録部１２は、登録信号を受信し（ステップＳ１）、登録信号内のアドレスおよびユーザＩＤを読み出す。アドレス登録部１２は、その登録信号内の文字列を元にその端末の能力を判別し、その能力を示す端末能力情報と読み出したアドレスとを含む端末情報を、読み出したユーザＩＤに関連づけて呼び出し先情報記憶部１１に記憶させる（ステップＳ３）。
【００２４】
アドレス登録部１２は、記憶させた端末情報内のアドレスおよび端末能力情報を含み且つその端末情報に関連づけられたユーザＩＤに関連づけられた他の端末情報が呼び出し先情報記憶部１１になかったなら、その記憶させた端末情報に対し、予め定められた優先度である「１」を設定する。
【００２５】
一方、アドレス登録部１２は、そのような他の端末情報があったなら、そのような他の端末情報と記憶させた端末情報とを含む複数の端末情報に対し、新しい端末情報ほど高く優先度を設定する。
【００２６】
例えば、アドレス登録部１２は、他の端末情報として、優先度「１」を設定された端末情報だけがあったなら、その端末情報の優先度を「２」とし、新たに記憶させた端末情報に優先度「１」を設定する。
【００２７】
例えば、アドレス登録部１２は、他の端末情報として、優先度「１」を設定された端末情報と優先度「２」を設定された端末情報だけがあったなら、前者の端末情報の優先度を「２」とし、後者の端末情報の優先度を「３」とし、新たに記憶させた端末情報に優先度「１」を設定する。
【００２８】
このような動作が同じ端末２や別の端末２から繰り返してなされることで、呼び出し先情報記憶部１１が図２に示すようになる。
【００２９】
次に、第１の実施の形態における端末呼び出し方法を説明する。
【００３０】
図３において、例えば端末２に対する操作により、呼び出し信号生成部２４は、相手の端末２がもつべき能力を示す内容をもつセッション記述プロトコル情報などの情報並びに相手の端末２のユーザを示すユーザＩＤを含んだ呼び出し信号を生成する。呼び出し信号送信部２５は、その呼び出し信号を通信装置１Ａに送信する。
【００３１】
図１において、通信装置１Ａの端末呼び出し部１３は、例えば、テレビ電話の端末である端末２から呼び出し信号を受信し（ステップＳ１１）、呼び出し信号内のユーザＩＤを読み出す。端末呼び出し部１３は、その呼び出し信号内のセッション記述プロトコル情報の内容などを元に、呼び出される端末がもつべき能力を判別する。テレビ電話の例では、端末呼び出し部１３は、呼び出される端末２はテレビ電話の端末であるべきと判定する。端末呼び出し部１３は、読み出したユーザＩＤに関連づけられ且つその能力を示す端末能力情報を含む端末情報を呼び出し先情報記憶部１１から検索する（ステップＳ１３）。
【００３２】
端末呼び出し部１３は、該当の端末情報が１つだけだったなら、その端末情報内のアドレスを読み出す。一方、該当の端末情報が複数あったなら、端末呼び出し部１３は、それらの端末情報に設定された優先度の中で最も高い優先度が設定された端末情報内のアドレスを読み出す。
【００３３】
端末呼び出し部１３は、その読み出したアドレスの端末２を呼び出す（ステップＳ１５）。テレビ電話の例では、端末呼び出し部１３は、テレビ電話の端末である端末２を呼び出す。
【００３４】
図３において、呼び出しを受ける端末２にアドレスが通知されるので、呼び出し受け付け部２６は、そのアドレスがアドレス記憶部２１に記憶されたアドレスと同じならば呼び出しを受け付ける。
【００３５】
したがって、第１の実施の形態によれば、通信装置１Ａは、呼び出し信号を送信した端末２が希望する能力をもつ端末２を選択して呼び出すことができる。よって、前者の端末２と後者の端末２との間でその能力を用いた通信を行うことができ、ユーザはその能力による利便性を享受することができる。先の例では、テレビ電話の通信を行うことができる。また、その能力をもたない端末２、例えば、音声の通話だけが可能な電話機を呼び出すことがないので、不要なトラヒックが発生せず、よって、トラヒックの増加を防止することができる。
【００３６】
［第２の実施の形態］
図４は、第２の実施の形態に係る通信システムと通信装置の構成を示す図である。
【００３７】
通信装置１Ｂは、第１の実施の形態と同様な複数の端末２とともに用いられ、第１の実施の形態と同様に、ある端末２から呼び出し信号が送信されたなら、その呼び出し信号に応じた端末２を呼び出し、これにより、その２つの端末２間での通信を可能にする。
【００３８】
通信装置１Ｂは、通信装置１Ａと同様に、呼び出し先情報記憶部１１、アドレス登録部１２および端末呼び出し部１３を備える一方、通信装置１Ａとは異なり、さらに転送先情報記憶部１４を備える。
【００３９】
図５（ａ）は、呼び出し先情報記憶部１１の記憶内容を例示した図である。
【００４０】
例えば、呼び出し先情報記憶部１１には、音声の通話だけが可能な電話機である端末２の能力を示す端末能力情報（「音声」として図示されている）とその端末２のアドレスと優先度とを含む端末情報２つが、それら端末２の同一なユーザを示すユーザＩＤ（「田中一郎」として図示されている）に関連づけられて記憶される。
【００４１】
図５（ｂ）は、転送先情報記憶部１４の記憶内容を例示した図である。
【００４２】
転送先情報記憶部１４には、呼び出し信号から読み出されたユーザＩＤに関連づけられ且つ呼び出し信号により得られた端末能力情報を含む端末情報が呼び出し先情報記憶部１１になかったときに呼び出すべき端末２の能力を示す端末能力情報とその端末２のアドレスとを含む端末情報がそのユーザＩＤに関連づけられて記憶される。
【００４３】
また、同じユーザＩＤに関連づけられる端末情報が１枚に集約されて図示され、複数枚が図示されているように、転送先情報記憶部１４は、複数のユーザＩＤについての端末情報を記憶することが可能である。
【００４４】
例えば、「田中一郎」として図示されているユーザＩＤに関連づけられ且つ「ＴＶ電話」として図示されている端末能力情報を含む端末情報には、そのユーザＩＤが示すユーザでないユーザに使用される端末２のアドレスを含まれる。
【００４５】
第２の実施の形態におけるアドレス登録方法は、第１の実施の形態のものと同様なので説明を省略し、次に、第２の実施の形態における端末呼び出し方法を説明する。
【００４６】
呼び出し信号を送信する端末２での動作は、第１の実施の形態のものと同様なので説明を省略する。
【００４７】
図４において、通信装置１Ｂの端末呼び出し部１３は、例えば、テレビ電話の端末である端末２から呼び出し信号を受信する（ステップＳ１１）。そして、第１の実施の形態と同様に、呼び出される端末２がもつべき能力を判別する。テレビ電話の例では、端末呼び出し部１３は、呼び出される端末２はテレビ電話の端末であるべきと判定する。そして、端末呼び出し部１３は、読み出したユーザＩＤに関連づけられ且つその能力を示す端末能力情報を含む端末情報を呼び出し先情報記憶部１１から検索する（ステップＳ１３）。
【００４８】
テレビ電話と図５（ａ）を例にすると、端末呼び出し部１３は、図５（ａ）に示す呼び出し先情報記憶部１１から、「田中一郎」として図示されているユーザＩＤに関連づけられ且つ「ＴＶ電話」として図示されるべき端末能力情報を含む端末情報を検索する。
【００４９】
ここで、該当の端末情報があった場合の動作は、第１の実施の形態のものと同様なので説明を省略する。
【００５０】
しかしながら、該当の端末情報がないので、端末呼び出し部１３は、そのユーザＩＤに関連づけられ且つその端末能力情報を含む端末情報を転送先情報記憶部１４から検索する（ステップＳ２１）。端末呼び出し部１３は、検索した端末情報内のアドレスを読み出し、そのアドレスの端末２を呼び出す（ステップＳ２３）。
【００５１】
テレビ電話と図５（ｂ）を例にすると、該当の端末情報つまり「田中一郎」として図示されているユーザＩＤに関連づけられ且つ「ＴＶ電話」として図示される端末能力情報を含む端末情報が転送先情報記憶部１４にあるので、端末呼び出し部１３は、その端末情報内のアドレスを読み出し、そのアドレスの端末２を呼び出す。これにより、例えば、他のユーザの端末２を呼び出すことができる。
【００５２】
呼び出された端末２での動作は、第１の実施の形態のものと同様なので説明を省略する。
【００５３】
したがって、第２の実施の形態によれば、第１の実施の形態と同様の効果が得られることに加え、例えば、先の例のように、他のユーザの端末２を呼び出すことができる。
【００５４】
［第３の実施の形態］
図６は、第３の実施の形態に係る通信システムと通信装置の構成を示す図である。
【００５５】
通信装置１Ｃは、第１、２の実施の形態と同様な複数の端末２とともに用いられ、第１、２の実施の形態と同様に、ある端末２から呼び出し信号が送信されたなら、その呼び出し信号に応じた端末２を呼び出し、これにより、その２つの端末２間での通信を可能にする。
【００５６】
通信装置１Ｃは、通信装置１Ｂと同様に、呼び出し先情報記憶部１１、アドレス登録部１２、端末呼び出し部１３、転送先情報記憶部１４を備える一方、通信装置１Ｂとは異なり、さらにユーザグループ情報記憶部１５を備える。
【００５７】
図７（ａ）は、呼び出し先情報記憶部１１の記憶内容を例示した図である。
【００５８】
例えば、呼び出し先情報記憶部１１には、音声の通話だけが可能な電話機である端末２の能力を示す端末能力情報（「音声」として図示されている）とその端末２のアドレスと優先度とを含む端末情報４つが、それら端末２の同一なユーザを示すユーザＩＤ（「田中一郎」として図示されている）に関連づけられて記憶される。
【００５９】
また、例えば、呼び出し先情報記憶部１１には、テレビ電話の端末である端末２の能力を示す端末能力情報（「ＴＶ電話」として図示されている）とその端末２のアドレスと優先度とを含む端末情報が、その端末２のユーザを示すユーザＩＤ（「佐藤和男」として図示されている）に関連づけられて記憶される。
【００６０】
図７（ｂ）は、ユーザグループ情報記憶部１５の記憶内容を例示した図である。
【００６１】
ユーザグループ情報記憶部１５には、複数のユーザＩＤを含むユーザグループ情報が記憶される。ユーザグループ情報記憶部１５は、複数のユーザグループ情報を記憶することが可能である。例えば、ユーザグループ情報記憶部１５には、「田中一郎」として図示されているユーザＩＤと、「佐藤和男」として図示されているユーザＩＤとを含むユーザグループ情報が記憶される。
【００６２】
第３の実施の形態におけるアドレス登録方法は、第１、２の実施の形態のものと同様なので説明を省略し、次に、第３の実施の形態における端末呼び出し方法を説明する。
【００６３】
呼び出し信号を送信する端末２での動作は、第１、２の実施の形態のものと同様なので説明を省略する。
【００６４】
図６において、通信装置１Ｃの端末呼び出し部１３は、例えば、テレビ電話の端末である端末２から呼び出し信号を受信する（ステップＳ１１）。そして、第１、２の実施の形態と同様に、呼び出される端末２がもつべき能力を判別する。テレビ電話の例では、端末呼び出し部１３は、呼び出される端末２はテレビ電話の端末であるべきと判定する。そして、端末呼び出し部１３は、読み出したユーザＩＤに関連づけられ且つその能力を示す端末能力情報を含む端末情報を呼び出し先情報記憶部１１から検索する（ステップＳ１３）。
【００６５】
テレビ電話と図７（ａ）を例にすると、端末呼び出し部１３は、図７（ａ）に示す呼び出し先情報記憶部１１から、「田中一郎」として図示されているユーザＩＤに関連づけられ且つ「ＴＶ電話」として図示されるべき端末能力情報を含む端末情報を検索する。
【００６６】
ここで、該当の端末情報があった場合の動作は、第１の実施の形態のものと同様なので説明を省略する。
【００６７】
図７（ａ）の例では、該当の端末情報がないので、その場合は、第２の実施の形態と同様に、転送先情報記憶部１４から端末情報を検索し、それ端末情報内のアドレスの端末２を呼び出すようにしてもよい。
【００６８】
しかし、転送先情報記憶部１４にも該当の端末情報がない場合などにおいては、端末呼び出し部１３は、呼び出し信号から読み出したユーザＩＤを含むユーザグループ情報をユーザグループ情報記憶部１５から検索する（ステップＳ３１）。
【００６９】
図７（ｂ）を例にすると、端末呼び出し部１３は、「田中一郎」として図示されているユーザＩＤを含むユーザグループ情報をユーザグループ情報記憶部１５から検索する。
【００７０】
次に、端末呼び出し部１３は、そのユーザグループ情報から他のユーザＩＤ、例えば図７（ｂ）に「佐藤和男」として図示されているユーザＩＤを読み出す。端末呼び出し部１３は、そのユーザＩＤに関連づけられ且つ呼び出し信号により得られた端末能力情報を含む端末情報を呼び出し先情報記憶部１１から検索し、その端末情報内のアドレスを読み出し、そのアドレスの端末２を呼び出す（ステップＳ３３）。
【００７１】
テレビ電話と図７（ａ）を例にすると、該当の端末情報つまり「佐藤和男」として図示されているユーザＩＤに関連づけられ且つ「ＴＶ電話」として図示される端末能力情報を含む端末情報があるので、端末呼び出し部１３は、その端末情報内のアドレスを読み出し、そのアドレスの端末２を呼び出す。
【００７２】
呼び出された端末２での動作は、第１、２の実施の形態のものと同様なので説明を省略する。
【００７３】
したがって、第３の実施の形態によれば、第１の実施の形態と同様の効果が得られることに加え、例えば、先の例のように、他のユーザの端末２を呼び出すことができる。
【００７４】
なお、ユーザグループ情報記憶部１５に記憶されたユーザグループ情報に対し、呼び出し先情報記憶部１１に該当の端末情報がなかったときに行うべきことを示す指示情報を関連づけておき、端末呼び出し部１３は、呼び出し先情報記憶部１１に該当の端末情報がなかったなら、呼び出し信号から読み出したユーザＩＤを含むユーザグループ情報に関連づけられた指示情報に応じて呼び出しを中止するまたは予め定められたサービスを実行させるようにしてもよい。
【００７５】
また、第３の実施の形態では、不要であれば、転送先情報記憶部１４を設けず、その転送先情報記憶部１４による呼び出しを行わないようにしてもよい。
【００７６】
また、不要であれば、優先度の設定を行わず、その優先度によらないで呼び出しを行うようにしてもよい。
【００７７】
また、端末能力情報については、説明および図示の便宜上、「音声」、「ＴＶ電話」、「映像」のように簡略的に表現したが、端末能力情報は、このような大まかな区別をするものに限定されない。
【００７８】
例えば、端末としては、上記のような音声や映像のストリームを送受信するものだけでなく、ストリームでないインスタントメッセ−ジなどを送受信するものを使用してもよい。その場合の端末能力情報は、例えば、そのインスタントメッセ−ジなどを送受信可能であることを示すものであってもよい。
【００７９】
また、端末が送受信するメディアの種別は様々であり、例えば、端末能力情報は、「application, data, control」のような、つまりメディアの種別を示すものであってもよい。
【００８０】
また、端末が送受信するメディアの中にはデコードやエンコードが必要となるものがあり、その端末にはコーデックが搭載されるので、そのコーデックの種類、バージョンナンバーなどを示す端末能力情報を使用してももよい。
【図面の簡単な説明】
【００８１】
【図１】第１の実施の形態に係る通信システムと通信装置の構成を示す図である。
【図２】図１に示す呼び出し先情報記憶部１１の記憶内容を例示した図である。
【図３】図１に示す端末２の概略構成を示すブロック図である。
【図４】第２の実施の形態に係る通信システムと通信装置の構成を示す図である。
【図５】図４に示す呼び出し先情報記憶部１１と転送先情報記憶部１４の記憶内容を例示した図である。
【図６】第３の実施の形態に係る通信システムと通信装置の構成を示す図である。
【図７】図６に示す呼び出し先情報記憶部１１とユーザグループ情報記憶部１５の記憶内容を例示した図である。
【符号の説明】
【００８２】
１Ａ、１Ｂ、１Ｃ…通信装置
２…端末
１１…呼び出し先情報記憶部
１２…アドレス登録部
１３…端末呼び出し部
１４…転送先情報記憶部
１５…ユーザグループ情報記憶部
２１…アドレス記憶部
２２…登録信号生成部
２３…登録信号送信部
２４…呼び出し信号生成部
２５…呼び出し信号送信部
２６…呼び出し信号受け付け部
【図１】
2008271380.tif 000003
【図２】
2008271380.tif 000004
【図３】
2008271380.tif 000005
【図４】
2008271380.tif 000006
【図５】
2008271380.tif 000007
【図６】
2008271380.tif 000008
【図７】
2008271380.tif 000009